(57)【要約】【課題】接着剤の延びる方向とその延びる方向に交差する方向とのいずれに対しても剥離し難く、シートの外面へ滲み出してしまうことやシートの内面で広がってしまうことがないように接着剤が塗布された積層パネルを提供する。【解決手段】互いに重なり合う少なくとも２枚のシート部材が、シート部材の対向するシート面の少なくとも一方に塗布された接着剤Ｂ１，Ｂ２を介して互いに接着された積層パネル１であり、接着剤Ｂ１，Ｂ２が、一方向へ曲折して延びる独立した多数の接着ラインを形成し、ラインどうしが互いに交わることなく延びており、ライン自身が交わることなく延びている。【選択図】図１
2004249116.tif 000002
【特許請求の範囲】
【請求項１】
互いに重なり合う少なくとも２枚のシート部材が、前記シート部材の対向するシート面の少なくとも一方に塗布された接着剤を介して互いに接着された積層パネルにおいて、
前記接着剤が、一方向へ曲折して延びる独立した多数の接着ラインを形成し、前記ラインどうしが互いに交わることなく延びており、かつ、前記ライン自身が交わることなく延びていることを特徴とする前記パネル。
【請求項２】
前記シート部材が、透液性表面シートと不透液性裏面シートとで形成され、前記表面シートと前記裏面シートとの間に吸液性コアが介在し、前記表面シートと前記裏面シートと前記コアとが、前記表裏面シートの対向するシート面の少なくとも一方に塗布された前記接着剤を介して互いに接着されている請求項１記載のパネル。
【請求項３】
前記シート部材が、前記表裏面シートの間に介在して前記コアを被覆する透水性シートを含み、前記コアと前記透水性シートとが、前記透水性シートの前記コアと対向する面に塗布された前記接着剤を介して互いに接着されている請求項２記載のパネル。
【請求項４】
前記表面シートと前記裏面シートとの少なくとも一方が、前記コアの両側縁から前記幅方向外方へ延出して長手方向へ延びる一対のサイドフラップを形成し、前記表面シートと前記裏面シートとが、前記コアの両端縁から前記長手方向外方へ延出して前記幅方向へ延びる一対のエンドフラップを形成し、前記サイドフラップには、前記長手方向へ延びる弾性的に伸縮可能な一対の脚周り用弾性部材が配置され、前記エンドフラップの少なくとも一方には、前記幅方向へ延びる弾性的に伸縮可能な胴周り用弾性部材が配置され、前記脚周り用弾性部材と前記胴周り用弾性部材とが、前記表面シートと前記裏面シートとの少なくとも一方の内面に前記接着剤を介して伸長下に接着されている請求項２または請求項３記載の物品。
【請求項５】
前記接着剤が、ホットメルト接着剤である請求項１ないし請求項４いずれかに記載の物品。
【請求項６】
前記シート部材が、不織布である請求項１ないし請求項５いずれかに記載の物品。
【発明の詳細な説明】
【技術分野】
【０００１】
本発明は、少なくとも２枚のシート部材を重ね合わせた積層パネルに関し、さらに詳細にはおむつカバーや使い捨ておむつ、生理用ナプキン、尿取りパッド等の積層パネルに関する。
【背景技術】
【０００２】
特開平８−１９６５５９号公報は、保液層と繊維集合層とからなる吸液性コアが、ティッシュペーパー等の透液性シートで被覆され、コアとシートとが互いに重なり合う面のほぼ全域においてホットメルト接着剤で接着された使い捨ておむつを開示している。ホットメルト接着剤の塗布パターンとしては、点線が続いて一方向へ延びる多数の直線を形成したドット状の塗布パターン、多数の直線が一方向へ延びる縦縞状の塗布パターン、直線が互いに交差して延びる格子状の塗布パターン、多数の曲線自身が交差して延びる螺旋状の接合パターンが記載されている。
【発明の開示】
【発明が解決しようとする課題】
【０００３】
ドット状と縦縞状とに接着剤を塗布した場合、接着剤の延びる方向と交差する方向に対しては、接着剤がコアとシートとの剥離を線で阻止することができる。しかし、接着剤の延びる方向に対しては、接着剤がそれらの剥離を点で阻止することができるにすぎないので、接着剤の延びる方向では、コアとシートとが容易に剥離してしまうことがある。
【０００４】
格子状と螺旋状とに接着剤を塗布した場合、接着剤が互いに交差する部位では接着剤が重複して塗布されるのでその量が増え、接着剤がシートの外面へ滲み出したり、シートの内面で広がったりすることがある。接着剤がシートの外面へ滲み出すと、たとえば、コアを所要の厚みに圧縮する工程において接着剤がプレスロールに付着してシートが巻きついてしまうことがある。接着剤がシートの内面で広がると、接着剤がコアの外面を包被してしまい、コアの吸液性を阻害しまうことがある。
【０００５】
本発明の課題は、接着剤の延びる方向とその延びる方向に交差する方向とのいずれに対しても剥離し難く、シートの外面へ滲み出してしまうことやシートの内面で広がってしまうことがないように接着剤が塗布された積層パネルを提供することにある。
【課題を解決するための手段】
【０００６】
前述した課題を解決するために、本発明が前提とするところは、互いに重なり合う少なくとも２枚のシート部材が、前記シート部材の対向するシート面の少なくとも一方に塗布された接着剤を介して互いに接着された積層パネルである。
【０００７】
かかる前提において、本発明の特徴としては、前記接着剤が、一方向へ曲折して延びる独立した多数の接着ラインを形成し、前記ラインどうしが互いに交わることなく延びており、かつ、前記ライン自身が交わることなく延びていることにある。ここで、曲折とは、接着ラインが折れ曲がってジグザグに延びる場合、接着ラインが波状に起伏して延びる場合、接着ラインが凸凹を画いて延びる場合を含む概念である。
【０００８】
本発明の実施の形態の一例としては、前記シート部材が、透液性表面シートと不透液性裏面シートとで形成され、前記表面シートと前記裏面シートとの間に吸液性コアが介在し、前記表面シートと前記裏面シートと前記コアとが、前記表裏面シートの対向するシート面の少なくとも一方に塗布された前記接着剤を介して互いに接着されている。
【０００９】
本発明の実施の形態の他の一例としては、前記シート部材が、前記表裏面シートの間に介在して前記コアを被覆する透水性シートを含み、前記コアと前記透水性シートとが、前記透水性シートの前記コアと対向する面に塗布された前記接着剤を介して互いに接着されている。
【００１０】
本発明の実施の形態の他の一例としては、前記表面シートと前記裏面シートとの少なくとも一方が、前記コアの両側縁から前記幅方向外方へ延出して長手方向へ延びる一対のサイドフラップを形成し、前記表面シートと前記裏面シートとが、前記コアの両端縁から前記長手方向外方へ延出して前記幅方向へ延びる一対のエンドフラップを形成し、前記サイドフラップには、前記長手方向へ延びる弾性的に伸縮可能な一対の脚周り用弾性部材が配置され、前記エンドフラップの少なくとも一方には、前記幅方向へ延びる弾性的に伸縮可能な胴周り用弾性部材が配置され、前記脚周り用弾性部材と前記胴周り用弾性部材とが、前記表面シートと前記裏面シートとの少なくとも一方の内面に前記接着剤を介して伸長下に接着されている。
【００１１】
本発明の実施の形態の他の一例としては、前記接着剤が、ホットメルト接着剤である。また、前記シート部材が、不織布である。
【発明の効果】
【００１２】
本発明に係る積層パネルによれば、接着剤が一方向へ曲折して延びる独立した多数の接着ラインを形成してシートやティシュペーパーに塗布されているので、接着剤の延びる方向とその延びる方向に交差する方向とのいずれに対しても、略同等の接着力でシートや弾性部材、ティシュペーパーやコアの部材どうしを接着することができ、それら部材の剥離を防ぐことができる。
【００１３】
シートやティシュペーパーには、接着ラインどうしやライン自身が互いに交差することなく延び、接着剤がムラなく略均一に塗布されているので、接着剤の量が局所的に増えることはなく、塗布された接着剤がシートやティシュペーパーの外面へ滲み出したり、シートやティシュペーパーの内面で広がったりすることがない。
【発明を実施するための最良の形態】
【００１４】
添付の図面を参照して、本発明に係る積層パネルの詳細を使い捨ておむつを例として説明すると、以下のとおりである。
【００１５】
図１は、使い捨ておむつの分解斜視図である。おむつは、砂時計型の透液性表面シート２と、砂時計型の不透液性裏面シート３と、表面シート２と裏面シート３との間に介在する一対のティッシュペーパー５（透水性シート）と、ティッシュペーパー５の間に介在する砂時計型の吸液性コア４とを有する積層パネル１で構成されている。
【００１６】
パネル１は、最下部に裏面シート３が配置され、裏面シート３から図の上方へ向かってティッシュペーパー５、コア４、ティッシュペーパー５、表面シート２の順で配置されている。表面シート２と裏面シート３とは、略同形同大のもので、互いに対向して長手方向へ延びていてその中央部がそれらシート２，３の幅方向内方へ湾曲する両側縁部２ａ，３ａと、互いに対抗して幅方向へ延びる両端縁部２ｂ、３ｂとを有する。ティッシュペーパー５は、その面積が表裏面シート２，３のそれよりも小さく、コア４のそれよりも大きい矩形のものである。
【００１７】
裏面シート３の両側縁部３ａの内面には、両側縁部３ａに沿って弾性的に伸縮可能な一対の脚周り用弾性部材６が伸長状態で配置されている。裏面シート３の両端縁部３ｂの内面には、両端縁部３ｂに沿って弾性的に伸縮可能なフィルム状の一対の胴周り用弾性部材７が伸長状態で配置されている。脚周り用弾性部材６と胴周り用弾性部材７との間における裏面シート３の内面には、裏面シート３の両側縁部３ａから幅方向外方へ延びるテープファスナ８の基端部が配置されている。
【００１８】
表面シート２と裏面シート３との互いに対向する内面には、それら表裏面シート２，３どうしおよび表裏面シート２，３とティッシュペーパー５とを互いに接着するためのホットメルト接着剤Ｂ１が塗布されている。ティッシュペーパー５の内面には、それらティッシュペーパー５とコア４とを接着するためのホットメルト接着剤Ｂ２が塗布されている。接着剤Ｂ１，Ｂ２は、表裏面シート２，３とティッシュペーパー５とにムラなく略均一に塗布されている。
【００１９】
接着剤Ｂ１，Ｂ２は、パネル１の長手方向へ波状に起伏して延びる独立した多数の接着ラインを形成している。それらラインは、ラインどうしが互いに交差することなく、かつ、ライン自身が交わることなく延びている。
【００２０】
図において、コア４の全体をティッシュペーパー５で被覆すると、ティッシュペーパー５の内面に塗布された接着剤Ｂ２を介して、コア４とティッシュペーパー５とが互いに接着される。ティッシュペーパー５それぞれの外面に表裏面シート２，３を重ね合わせると、表裏面シート２，３の内面に塗布された接着剤Ｂ１を介して、ティッシュペーパー５と表裏面シート２，３とが互いに接着され、表裏面シート２，３がそれらシート２，３の両側縁部２ａ，３ａと両端縁部２ｂ，３ｂとにおいて互いに接着される。脚周り用弾性部材６と胴周り用弾性部材７とは、表面シート２と裏面シート３とが互いに接着されることによって表裏面シート２，３の内面に接着される。
【００２１】
図２，３は、図１の分解斜視図を組み立てた状態で示すおむつの部分破断斜視図と、図２のＡ−Ａ線矢視断面図である。パネル１は、長手方向に前胴周り域２０と、後胴周り域２２と、それら前後胴周り域２０，２２の間に位置する股下域２１とを有し、互いに対向して長手方向へ延びていて股下域２１においてパネル１の幅方向内方へ湾曲する一対のサイドフラップ９と、互いに対向して幅方向へ延びる一対のエンドフラップ１０とを有する。
【００２２】
パネル１のサイドフラップ９は、コア４の両側縁４ａから幅方向外方へ延出する表面シート２と裏面シート３との両側縁部２ａ，３ａによって形成されている。サイドフラップ９では、表面シート２と裏面シート３とがそれらシート２，３の内面に塗布された接着剤Ｂ１を介して互いに接着され、脚周り用弾性部材６が表面シート２と裏面シート３との間に挟まれて、それらシート２，３の内面に接着されている。
【００２３】
パネル１のエンドフラップ１０は、コア４の両端縁４ｂから長手方向外方へ延出する表面シート２と裏面シート３との両端縁部２ｂ，３ｂによって形成されている。エンドフラップ１０では、表面シート２と裏面シート３とがそれらシート２，３の内面に塗布された接着剤Ｂ１を介して互いに接着され、胴周り用弾性部材７が表面シート２と裏面シート３との間に挟まれて、それらシート２，３の内面に接着されている。
【００２４】
パネル１の後胴周り域では、テープファスナ８が折曲されてパネル１の幅方向内方へ延び、テープファスナ８の自由端部に塗布された粘着剤（図示せず）を介して表面シート２の外面に剥離可能に貼着されている。パネル１には、脚周り用弾性部材６と胴周り用弾性部材７との伸長状態が解除され、それら弾性部材６，７の収縮下にサイドフラップ９とエンドフラップ１０とにギャザーが形成されている。
【００２５】
パネル１は、図３の矢視断面図に示すように、表裏面シート３とティッシュペーパー５との内面に塗布された接着剤Ｂ１，Ｂ２がパネル１の幅方向へ点在するように表れるのではなく、曲折して延びる接着剤Ｂ１，Ｂ２が、パネル１の幅方向において表裏面シート３とティッシュペーパー５との内面の略全域に塗布されているように表れる。
【００２６】
図示はしていないが、パネル１のサイドフラップ９は、裏面シート３の両側縁部３ａと、裏面シート３の両側縁部３ａに配置されてパネル１の長手方向へ延びる一対の液抵抗性シートとによって形成することもできる。この場合は、液抵抗性シートそれぞれの内面に表裏面シート２，３と同様の接着ラインを形成する接着剤Ｂ１が塗布され、液抵抗性シートが、コア４の両側縁４ａの外側近傍で終わる表面シート２の両側縁部２ａの外面と、表面シート２の両側縁部２ａからさらにパネル１の幅方向外方へ延出する裏面シート３の両側縁部３ａの内面とに接着される。脚周り用弾性部材６は、裏面シート３の両側縁部３ａと液抵抗性シートとの間に挟まれて、裏面シート３と液抵抗性シートとの内面に接着される。サイドフラップ９が裏面シート３と液抵抗性シートとで形成されたパネル１は、体液が表面シート２の両側縁部２ａへ滲出しても、裏面シート３と液抵抗性シートとに滲出することができないので、サイドフラップ９からの体液の漏れを防ぐことができる。
【００２７】
表面シート２には、疎水性不織布を親水化剤で処理したものや親水化剤を練り込んだ繊維で形成した親水性不織布が用いられる。それら不織布に代えて多数の開孔を有する熱可塑性合成樹脂フィルムを用いることもできる。裏面シート３と液抵抗性シートとには、合成樹脂フィルムまたは合成樹脂フィルムと疎水性不織布とのラミネートシート、好ましくは通気不透液性のシートが使用される。それら不織布としては、エアースルー不織布、ポイントボンド不織布、スパンボンド不織布、スパンレース不織布、メルトブローン不織布等を使用することができる。
【００２８】
コア４は、フラッフパルプと高吸収性ポリマー粒子またはそれらに吸収体形状を維持するための繊維を加えた混合物であり、所要の厚みに圧縮されている。弾性部材６，７としては、合成ゴムや天然ゴム等のエラストマー、または、それらエラストマーを伸長状態で不織布に接着したものを使用することができる。
【００２９】
ホットメルト接着剤Ｂ１，Ｂ２としては、ブロックゴム系ホットメルト、オレフィン系ホットメルトを使用することができる。接着剤Ｂ１は、表裏面シート２，３の双方に塗布する場合の他、表面シート２と裏面シート３とのいずれか一方に塗布することでもよい。また、接着剤Ｂ１，Ｂ２が表裏面シート２，３とティッシュペーパー５とに点線状に塗布されていてもよい。
【００３０】
コア４とティッシュペーパー５とを接着する場合、ティッシュペーパー５に塗布する接着剤Ｂ２の量は１ｇ／ｍ２〜５ｇ／ｍ２の範囲、表面シート２と裏面シート３とを接着する場合、表面シート２と裏面シート３とに塗布する接着剤Ｂ１の量は３ｇ／ｍ２〜８ｇ／ｍ２の範囲、表裏面シート３と弾性部材６，７とを接着する場合、表面シート２と裏面シート３とに塗布する接着剤Ｂ１の量は８ｇ／ｍ２〜１５ｇ／ｍ２の範囲にあることが好ましい。それら範囲よりも少ないと接着力が弱く、パネル１を構成するシート２，３や弾性部材６，７、コア４やティッシュペーパー５等の部材どうしが容易に剥離してしまうことがある。不織布やティッシュペーパー５の坪量、不織布を形成する繊維の繊度にもよるが、それら範囲よりも多いとシート２，３やティッシュペーパー５の外面に接着剤が滲み出したり、シート２，３やティッシュペーパー５の内面で接着剤が広がってしまうことがある。
【００３１】
この発明は、使い捨ておむつの他に、おむつカバーや生理用ナプキン、尿取りパッド等に、または、ゴミ拭き取り用の複合シート、非伸縮性シートに伸縮性シートを伸長状態で接着した複合シート等にも使用することができる。
【図面の簡単な説明】
【００３２】
【図１】使い捨ておむつの分解斜視図。
【図２】組み立てた状態で示すおむつの部分破断斜視図。
【図３】図２のＡ−Ａ線断面図。
【符号の説明】
【００３３】
１            積層パネル
２            透液性表面シート
２ａ          両側縁部
２ｂ          両端縁部
３            不透液性裏面シート
３ａ          両側縁部
３ｂ          両端縁部
４            吸液性コア
４ａ          両側縁
４ｂ          両端縁
５            ティッシュペーパー（透水性シート）
６            脚周り用弾性部材
７            胴周り用弾性部材
９            サイドフラップ
１０            エンドフラップ
Ｂ１，Ｂ２      ホットメルト接着剤
【図１】
2004249116.tif 000003
【図２】
2004249116.tif 000004
【図３】
2004249116.tif 000005